(57)【特許請求の範囲】
【請求項１】
梱包する物品を緩衝する緩衝クッションにおいて、
段ボールの段目と交差する方向に互いに平行な複数の切断線を形成するとともに、それぞれの切断線を部分的に連結部によって連結し、
しかも前記複数の切断線の内の少なくとも一部の切断線について、その全長または一部の領域をジグザグの切断線から構成し、
前記切断線のところで交互に逆方向に折曲げて重合わせて接合し、前記ジグザグの切断線によって切断線の端面にジグザグの凹凸を形成したことを特徴とする緩衝クッション。
【請求項２】
切断線のジグザグが三角形の山形と谷形とを交互に組合わせた形状であることを特徴とする請求項１に記載の緩衝クッション。
【請求項３】
切断線のジグザグがほぼ円弧状の山と谷とを交互に組合わせた形状であることを特徴とする請求項１に記載の緩衝クッション。
【請求項４】
切断線が段ボールの段目と直交する方向に所定の間隔で形成されるとともに、１本毎に切断線の全長または一部の領域をジグザグの切断線から構成したことを特徴とする請求項１に記載の緩衝クッション。
【請求項５】
段ボールに分割線を形成するとともに、段目の方向の端部側の分割線と対応する位置に折曲げ可能な折曲げ線を形成したことを特徴とする請求項４に記載の緩衝クッション。
【請求項６】
分割線が段目と平行であって切断線と直交するように形成されることを特徴とする請求項５に記載の緩衝クッション。
【請求項７】
梱包する物品を緩衝する緩衝クッションにおいて、
段ボールの段目と交差する方向に互いに平行な複数の切断線を形成するとともに、それぞれの切断線を部分的に連結部によって連結し、１本毎の切断線に臨むようにその両側に切込みを形成し、
しかも前記複数の切断線の内の少なくとも一部の切断線について、その全長または一部の領域をジグザグの切断線から構成し、
前記切断線のところで交互に逆方向に折曲げて重合わせて接合し、前記ジグザグの切断線によって切断線の端面にジグザグの凹凸を形成するとともに、前記切込みを整合させて凹部を形成し、複数の緩衝クッションを前記凹部によって互いに係合させるようにしたことを特徴とする緩衝クッション。
【請求項８】
前記ジグザグが形成されていない切断線に臨むようにその両側に前記切込みが形成され、該切込みによって凹部が形成された第１の緩衝クッションと、前記ジグザグが形成されている切断線に臨むようにその両側に切込みが形成され、該切込みによって凹部が形成された第２の緩衝クッションとを組合わせ、前記第１の緩衝クッションの凹部と前記第２の緩衝クッションの凹部とを互いに逆方向から係合させることを特徴とする請求項７に記載の緩衝クッション。
【請求項９】
梱包する物品を緩衝する緩衝クッションにおいて、
段ボールの段目と交差する方向に互いに平行な複数の切断線を形成するとともに、それぞれの切断線を部分的に連結部によって連結し、
しかも前記切断線に臨んでその片側に切込みを形成し、
前記切断線のところで交互に逆方向に折曲げて重合わせて接合し、前記切込みによって切断線の端面の部位を厚さ方向にジグザグに形成したことを特徴とする緩衝クッション。
【請求項１０】
前記切断線に臨んで前記切込みとは反対側の部位に半切線の切込みを形成したことを特徴とする請求項９に記載の緩衝クッション。
【発明の詳細な説明】
【０００１】
【発明の属する技術分野】
本発明は緩衝クッションに係り、とくに梱包する物品を緩衝する緩衝クッションに関する。
【０００２】
【従来の技術】
各種の物品を物流に供する場合には、物流段階の途中で物品が損傷されないように梱包あるいは包装を行なうようにしていた。一般的な包装形態は、物品を段ボールケース内に収納するとともに、物品と段ボールケースとの間の隙間の部分にコーナクッション等の緩衝クッションを配するようにしたものである。外部からの衝撃は上記コーナクッションによって吸収されて物品が保護される。精密機器や壊れ易い物品については、このような包装形態が必須になる。
【０００３】
【発明が解決しようとする課題】
従来のこのような包装形態あるいは梱包形態によれば、それぞれの物品を段ボールケース内に収納した状態で、物品と段ボールケースとの間にそれぞれ発泡スチロール樹脂の緩衝クッションを配さなければならない。発泡スチロール樹脂の緩衝クッションは成形するための金型を要し、しかもこのような金型は、成形されるクッションの形状が違うと異なる金型を用意する必要がある。従ってコスト的に不利なものである。またこのような緩衝クッションは、リモネンのような特殊な薬剤によって溶解して再生することはできるものの、使用後に焼却廃棄を行なうと、黒煙を発生するとともに高熱を発して焼却炉を損傷することになる。従ってこのことから、廃棄物公害の原因になる。
【０００４】
本発明はこのような問題点に鑑みてなされたものであって、成形するための金型を必要とせず、リサイクルが可能であって、しかも焼却廃棄しても公害を発生しないようにした緩衝クッションを提供することを目的とする。
【０００５】
【課題を解決するための手段】
本願の一発明は、梱包する物品を緩衝する緩衝クッションにおいて、
段ボールの段目と交差する方向に互いに平行な複数の切断線を形成するとともに、それぞれの切断線を部分的に連結部によって連結し、
しかも前記複数の切断線の内の少なくとも一部の切断線について、その全長または一部の領域をジグザグの切断線から構成し、
前記切断線のところで交互に逆方向に折曲げて重合わせて接合し、前記ジグザグの切断線によって切断線の端面にジグザグの凹凸を形成したことを特徴とする緩衝クッションに関するものである。
【０００６】
ここで切断線のジグザグが三角形の山形と谷形とを交互に組合わせた形状であってよい。あるいはまた切断線のジグザグがほぼ円弧状の山と谷とを交互に組合わせた形状であってよい。また切断線が段ボールの段目と直交する方向に所定の間隔で形成されるとともに、１本毎に切断線の全長または一部の領域をジグザグの切断線から構成してよい。また段ボールに分割線を形成するとともに、段目の方向の端部側の分割線と対応する位置に折曲げ可能な折曲げ線を形成してよい。また分割線が段目と平行であって切断線と直交するように形成されてよい。
【０００７】
本願の別の発明は、梱包する物品を緩衝する緩衝クッションにおいて、
段ボールの段目と交差する方向に互いに平行な複数の切断線を形成するとともに、それぞれの切断線を部分的に連結部によって連結し、１本毎の切断線に臨むようにその両側に切込みを形成し、
しかも前記複数の切断線の内の少なくとも一部の切断線について、その全長または一部の領域をジグザグの切断線から構成し、
前記切断線のところで交互に逆方向に折曲げて重合わせて接合し、前記ジグザグの切断線によって切断線の端面にジグザグの凹凸を形成するとともに、前記切込みを整合させて凹部を形成し、複数の緩衝クッションを前記凹部によって互いに係合させるようにしたことを特徴とする緩衝クッションに関するものである。ここで前記ジグザグが形成されていない切断線に臨むようにその両側に前記切込みが形成され、該切込みによって凹部が形成された第１の緩衝クッションと、前記ジグザグが形成されている切断線に臨むようにその両側に切込みが形成され、該切込みによって凹部が形成された第２の緩衝クッションとを組合わせ、前記第１の緩衝クッションの凹部と前記第２の緩衝クッションの凹部とを互いに逆方向から係合させるようにしてよい。
【０００８】
本願のさらに別の発明は、梱包する物品を緩衝する緩衝クッションにおいて、段ボールの段目と交差する方向に互いに平行な複数の切断線を形成するとともに、それぞれの切断線を部分的に連結部によって連結し、
しかも前記切断線に臨んでその片側に切込みを形成し、
前記切断線のところで交互に逆方向に折曲げて重合わせて接合し、前記切込みによって切断線の端面の部位を厚さ方向にジグザグに形成したことを特徴とする緩衝クッションに関するものである。ここで前記切断線に臨んで前記切込みとは反対側の部位に半切線の切込みを形成してよい。
【０００９】
【作用】
本願の上記一発明によれば、段ボールを切断線のところで交互に折曲げて重合わせて接合することによって、緩衝クッションが組立てられる。ここで緩衝クッションのジグザグの切断線によって切断線の端面にジグザグの凹凸が形成されることになる。従って切断線と直角な方向の衝撃をジグザグの凹凸を介して切断線の端面で受けることになり、上記ジグザグの凹凸によって緩衝効果が高められることになる。
【００１０】
【発明の実施の形態】
第１の実施の形態を図１〜図４によって説明する。この実施の形態の緩衝クッションは図１に示す段ボール１０によって組立てられるようになっている。段ボール１０はほぼ矩形の形状をなすとともに、その段目と直交するように所定の間隔で１５本の切断線１１が形成されている。切断線１１には、その長さ方向の３個所において、一対ずつの切込み１２が形成され、これらの切込み１２によって切断線１１を遮断して成る連結部１３が形成されている。
【００１１】
しかもこのような段ボール１０は、上記切断線１１の一部がジグザグの切断線１６から構成されている。すなわちここでは図１に示すように、上から１番目、３番目、５番目、および７番目の切断線１１の長さ方向の２個所にそれぞれジグザグの切断線１１が形成されている。
【００１２】
このような段ボール１０は図２に示すように、その切断線１１のところで互いに交互に逆方向に折曲げて重合わせて接合されるようになっている。ここで切断線１１によって囲まれる領域に予め澱粉糊を塗布しておくことによって、重合わせると互いに接合されて図３に示すような細長い直方体状の緩衝クッションが得られる。
【００１３】
そしてこのような緩衝クッションは、切断線１１の部分において連結部１３で互いに連結されるとともに、切断線１１の端面の部分において、ジグザグの切断線１６によって凹凸１７が形成されることになる。すなわちジグザグの切断線１６によって、その両側において互いに三角形の凸部と凹部とが交互に形成されることになる。
【００１４】
従ってこのような段ボール１０を折曲げて重合わせると、凹凸１７が段ボール１０の厚さ方向に交互に突出するように形成されることになり、図４に示すように１枚ずつ交互に凸部が突出するような凹凸１７が形成されることになる。従ってこのような緩衝クッションはとくに図４において高さ方向の緩衝性能が、凹凸１７によって改善されることになる。
【００１５】
次に第２の実施の形態を図５〜図７によって説明する。この実施の形態は、図５に示すような段ボール１０を切断線１１のところで交互に逆方向に折曲げて重合わせて接合することにより組立てるようにしたものである。ここでとくに切断線１１の一部分には波形であってほぼ円弧状の山と谷とを交互に形成したジグザグの切断線１６を形成するようにしており、この点において上記第１の実施の形態と相違している。それ以外の構成は上記第１の実施の形態と共通である。
【００１６】
従ってこのような段ボール１０を切断線１１のところで交互に逆方向に折曲げて重合わせるとともに、塗布された澱粉糊によって接合することによって、図６および図７に示すような直方体状をなす緩衝クッションが組立てられる。このような緩衝クッションは、切断線１１の端面に臨んでジグザグの切断面１６によって形成される円弧状の凹凸１７が露出することになる。従ってこのような凹凸１７によってとくにこの緩衝クッションの段目の方向の緩衝性能が改善されることになる。すなわち段目の方向の緩衝効果が凹凸１７によって高められることになる。
【００１７】
次に第３の実施の形態を図８〜図１２によって説明する。この実施の形態は、上面に凹凸１７を備えるとともに、部分的に折曲げ可能にしたものである。
【００１８】
このような緩衝クッションは図８に示すような段ボール１０から組立てられる。段ボール１０にはその段目と直交するように１５本の切断線１１が互いに平行に所定の間隔で形成される。しかもそれぞれの切断線１１にはその３個所においてそれぞれ一対の切込み１２によって切断線１１を遮断して連結部１３を形成するようにしている。また図８において上から奇数番目の切断線には、その長さ方向の４個所にそれぞれジグザグの切断線１６を形成するようにしている。
【００１９】
またこの段ボール１０には、その段目方向の上側と下側の１番目から６番目の切断線１１を連結するように分割線２１を形成するとともに、分割線２１の延長位置であって段目方向の１番上側の切断線１１よりも上側の部分と１番下側の切断線１１よりも下側の部分に、切断線２１の延長上に折曲げ線２２を形成するようにしている。
【００２０】
このような段ボール１０は図９に示すように、切断線１１のところで交互に逆方向に折曲げて重合わせて接合するようになっており、予め塗布された糊剤によって接合することによって、図１０に示すような直方体状をなす緩衝クッションが組立てられる。なお分割線２１またはその延長線よりも左右両側であって第５番目の切断線と第７番目の切断線１１との間の領域および第９番目の切断線と第１１番目の切断線１１との間の領域には糊剤を塗布しないようにし、後から折曲げできるようにしている。
【００２１】
このような緩衝クッションは、図１０から明らかなように、切断線１１に沿う端面上にその長さ方向の４個所においてそれぞれジグザグの切断線１６によって半円形の凹凸１７が形成されることになる。従ってこのような緩衝クッションは、図１０における上下方向の衝撃に対して凹凸１７が高い緩衝効果を示すことになる。
【００２２】
またこのような緩衝クッションは、図１１に示すようにその長さ方向の両端において、幅方向の中間部分を除いて、両側の折曲げ線２２のところで回動可能に連結されることになる。すなわちこのような緩衝クッションを段目と平行に形成されている分割線２１によって分割すると、折曲げ線２２のところでその先端側の部分を図１１に示すように斜めに折曲げることが可能になり、あるいはまた図１２に示すように直角に折曲げることが可能になる。さらに１８０°折曲げるようにしてもよい。従ってこのような緩衝クッションによれば、単に直方体状の形状で使用することができるばかりでなく、複雑な形状に折曲げることが可能になる。
【００２３】
次に第４の実施の形態を図１３〜図２０によって説明する。この実施の形態は、一対の緩衝クッションを互いに交差するように組立てることができるようにしたものである。一方の緩衝クッションは図１３に示すような段ボール１０から組立てられる。この段ボール１０には互いに平行な９本の切断線１１を所定の間隔で形成するとともに、それぞれ一対ずつの切込１２によって連結部１３を形成するようにしている。しかも１本毎の切断線１１には交互にジグザグの切断線１６を形成している。またジグザグの切断線１６が形成されていない切断線１１の長さ方向の中央部分には切込み２６が形成されている。なおこの段ボール１０の上下の端部にも同様の切込み２６が形成される。
【００２４】
このような段ボール１０は図１４に示すように、切断線１１の部分で交互に逆方向に折曲げられて重合わせて接合される。このときに予め塗布されている糊によって互いに接合され、図１５に示すような直方体状をなす緩衝クッションが組立てられる。ここでジグザグの切断線１６によってその上面に凹凸１７が形成される。またその下部には、切込み２６を整合して成る凹部２７が形成される。
【００２５】
別の緩衝クッションは図１６に示す段ボール１０から形成される。すなわちこの緩衝クッションは段ボール１０に互いに平行な９本の切断線１１を形成するようにしたものである。そしてこれらの切断線１１には切込み１２によって両端が切断線１１から遮断された連結部１３がその長さ方向の４個所に形成されるようになっている。
【００２６】
しかもこの段ボール１０には、図１３に示す段ボール１０と同様に、交互に１本ずつの切断線１１にはその長さ方向の２個所にそれぞれジグザグの切断線１６が形成されるようになっている。またジグザグの切断線１６が形成されている切断線１１には、その両側にそれぞれ切込み２６が形成されている。
【００２７】
このような段ボール１０は図１７に示すように、切断線１１の部分で交互に逆方向に折曲げて重合わせて接合されるようになっており、これによって図１８に示すような直方体状をなす緩衝クッションが組立てられることになる。このような緩衝クッションは、ジグザグの切断線１６によって図１８に示すように、上面に凹凸１７が形成される。また切込み２６を整合させて成る凹部２７が上面に臨むように形成されることになる。
【００２８】
このような２種類の緩衝クッションは、図１９および図２０に示すように、互いに直交するように組立てられる。すなわち一方の緩衝クッションの下側の凹部２７と他方の緩衝クッションの上側の凹部２７とが互いに組合わされた状態で係合されるようになり、これによって一対の緩衝クッションが図２０に示すように十字状をなして組立てられることになる。そしてこれらの緩衝クッションは、その上面にそれぞれ凹凸１７を有しているために、このような凹凸１７によってとくに高さ方向の衝撃の吸収性能が改善されることになり、緩衝性能に優れるとともに、広範囲の緩衝を負担することが可能な緩衝クッションが得られることになる。
【００２９】
次に第５の実施の形態を図２１〜図２３によって説明する。この実施の形態は、図２１に示すような段ボール１０を互いに逆方向に折曲げて接合したものである。段ボール１０には所定の間隔で９本の切断線１１が形成されている。そしてこれらの切断線１１には、その長さ方向の両端にそれぞれ一対の切込みによって区画された連結部１３が形成されている。またそれぞれの切断線１１の両側にはスリット状の切欠き３１と半切線３２とが形成されている。なお半切線３２の両端は直交する切断線３３によって切断線１１と連結されている。
【００３０】
このような段ボール１０は図２２に示すように、切断線１１のところで交互に逆方向に折曲げられるとともに、予め塗布された澱粉糊によって接合され、これによって図２３に示すような直方体状をなす緩衝クッションが組立てられる。このような緩衝クッションは図２４に示すように、とくに切断線１１に臨んで形成されている切込み３１によって板状体の段目方向の端部が交互に１枚ずつ欠如されることになり、しかも端部が残存する板状体についても、その端面から所定の位置に半切線３２が形成されているために、柔軟になっている。従ってこのことから、とくにその高さ方向の衝撃の緩衝性能が改善されるようになり、柔軟に物品を緩衝することが可能になる。
【００３１】
【発明の効果】
本願の一発明は、梱包する物品を緩衝する緩衝クッションにおいて、段ボールの段目と交差する方向に互いに平行な複数の切断線を形成するとともに、それぞれの切断線を部分的に連結部によって連結し、しかも複数の切断線の内の少なくとも一部の切断線について、その全長または一部の領域をジグザグの切断線から構成し、切断線のところで交互に逆方向に折曲げて重合わせて接合し、ジグザグの切断線によって切断線の端面にジグザグの凹凸を形成したものである。
【００３２】
従ってこのような緩衝クッションによれば、とくにジグザグの切断線によって切断線の端面に形成されるジグザグの凹凸が衝撃吸収性能を高めることになり、これによって緩衝効果に優れた緩衝クッションが得られる。
【００３３】
本願の別の発明は、梱包する物品を緩衝する緩衝クッションにおいて、段ボールの段目と交差する方向に互いに平行な複数の切断線を形成するとともに、それぞれの切断線を部分的に連結部によって連結し、１本毎の切断線に臨むようにその両側に切込みを形成し、しかも複数の切断線の内の少なくとも一部の切断線について、その全長または一部の領域をジグザグの切断線から構成し、切断線のところで交互に逆方向に折曲げて重合わせて接合し、ジグザグの切断線によって切断線の端面にジグザグの凹凸を形成するとともに、切込みを整合させて凹部を形成し、複数の緩衝クッションを凹部によって互いに係合させるようにしたものである。
【００３４】
従ってこのような緩衝クッションによれば、上記切欠きを整合させて形成される凹部を組合わせることによって、複数の緩衝クッションを互いに係合させることが可能になり、一対の緩衝クッションを交差するようにして結合することが可能になる。
【００３５】
別の発明は、梱包する物品を緩衝する緩衝クッションにおいて、段ボールの段目と交差する方向に互いに平行な複数の切断線を形成するとともに、それぞれの切断線を部分的に連結部によって連結し、しかも切断線に臨んでその片側に切込みを形成し、切断線のところで交互に逆方向に折曲げて重合わせて接合し、切込みによって切断線の端面の部位を厚さ方向にジグザグに形成するようにしたものである。
【００３６】
従ってこのような緩衝クッションによれば、とくに切込みによって切断線の端面の部位に厚さ方向にジグザグが形成されることになり、このような厚さ方向のジグザグによって切断線の端面の部分の緩衝性能が改善されることになり、緩衝効果に優れた緩衝クッションを提供できるようになる。
【図面の簡単な説明】
【図１】第１の実施の形態の緩衝クッションを組立てる段ボールの展開平面図である。
【図２】同段ボールによる緩衝クッションの組立ての動作を示す外観斜視図である。
【図３】組立てられた緩衝クッションの外観斜視図である。
【図４】同緩衝クッションの縦断面図である。
【図５】第２の実施の形態の段ボールの展開平面図である。
【図６】同段ボールによる緩衝クッションの組立て動作を示す外観斜視図である。
【図７】組立てられた緩衝クッションの外観斜視図である。
【図８】第３の実施の形態の緩衝クッションを組立てる段ボールの展開平面図である。
【図９】同緩衝クッションの組立て動作を示す外観斜視図である。
【図１０】組立てられた緩衝クッションの外観斜視図である。
【図１１】端部を折曲げ線のところで斜めに折曲げた状態の緩衝クッションの外観斜視図である。
【図１２】端部を折曲げ線のところで直角に折曲げた状態の緩衝クッションの外観斜視図である。
【図１３】第４の実施の形態の一方の緩衝クッションを組立てる段ボールの展開平面図である。
【図１４】同緩衝クッションの組立て動作を示す外観斜視図である。
【図１５】一方の緩衝クッションの組立てた状態の外観斜視図である。
【図１６】他方の緩衝クッションを組立てる段ボールの展開平面図である。
【図１７】同緩衝クッションの組立て動作を示す外観斜視図である。
【図１８】同緩衝クッションの組立てた状態の外観斜視図である。
【図１９】一対の緩衝クッションを組合わせる動作を示す分解斜視図である。
【図２０】同組立てられた状態の外観斜視図である。
【図２１】第５の実施の形態の緩衝クッションを組立てる段ボールの展開平面図である。
【図２２】同緩衝クッションの組立て動作を示す外観斜視図である。
【図２３】同緩衝クッションの組立てた状態の外観斜視図である。
【図２４】同緩衝クッションの縦断面図である。
【符号の説明】
１０  段ボール
１１  切断線
１２  切込み
１３  連結部
１６  ジグザグの切断線（山形）
１７  凹凸
２１  分割線
２２  折曲げ線
２６  切込み
２７  凹部
３１  切込み
３２  半切線
３３  切断線
【図１】
0004188508.tif 000002
【図２】
0004188508.tif 000003
【図３】
0004188508.tif 000004
【図４】
0004188508.tif 000005
【図５】
0004188508.tif 000006
【図６】
0004188508.tif 000007
【図７】
0004188508.tif 000008
【図８】
0004188508.tif 000009
【図９】
0004188508.tif 000010
【図１０】
0004188508.tif 000011
【図１１】
0004188508.tif 000012
【図１２】
0004188508.tif 000013
【図１３】
0004188508.tif 000014
【図１４】
0004188508.tif 000015
【図１５】
0004188508.tif 000016
【図１６】
0004188508.tif 000017
【図１７】
0004188508.tif 000018
【図１８】
0004188508.tif 000019
【図１９】
0004188508.tif 000020
【図２０】
0004188508.tif 000021
【図２１】
0004188508.tif 000022
【図２２】
0004188508.tif 000023
【図２３】
0004188508.tif 000024
【図２４】
0004188508.tif 000025